(57)【特許請求の範囲】
【請求項１】
第一扉体及び第二扉体の内側端部同士が蝶番で連結され、前記第二扉体はガイドレールに案内される走行体を有するとともに、前記第一扉体は外側端部が回転自在に固定されるか又は前記第一扉体は回転自在に前記ガイドレールに案内され、前記ガイドレールに略垂直方向に折り畳んだ開状態から閉状態に又はその逆に開閉自在の折戸であって、
前記蝶番は、前記第一扉体の内側端部裏側コーナー部周りに又は前記第一扉体及び第二扉体の対向する内側端部裏側コーナー部間に回転自在に取付けられた第一軸と、前記第二扉体の内側端部裏側コーナー部周りに回転自在に取付けられた第三軸を備え、
前記開状態から、
前記第一扉体の内側端部裏側コーナー部と前記第二扉体の内側端部裏側コーナー部間の隙間を許容値以下に保持した状態で、前記第二扉体が前記第一扉体に対して前記第一軸を中心に回転して、前記第一扉体と前記第二扉体とのなす角度を略９０度とし、
その状態で回転の中心を前記第一軸から、前記第一軸よりも前記第一扉体の外側端部側に設けられた回転自在の第二軸に切り替えて、前記第二扉体の内側端部裏側コーナー部が前記第一扉体の内側端部裏側コーナー部に対向する位置から前記第一扉体の内側端部表側コーナー部に対向する位置まで、前記第一扉体の内側端部と第二扉体の内側端部裏側コーナー部間の隙間を前記許容値以下に保持した状態で移動するように、前記第二扉体が前記第一扉体に対して前記第二軸を中心に回転し、
回転の中心を前記第二軸から前記第三軸に切り替えて、前記第一扉体の内側端部表側コーナー部と前記第二扉体の内側端部裏側コーナー部間の隙間を前記許容値以下に保持した状態で、前記第二扉体が前記第一扉体に対して前記第三軸を中心に回転して、前記角度をさらに大きくして、
前記第一扉体が前記ガイドレールと略平行になったとき、回転の中心を前記第三軸から、前記第三軸よりも前記第二扉体の外側端部側に設けられた回転自在の第四軸に切り替えて、前記第二扉体の内側端部裏側コーナー部が前記第一扉体の内側端部表側コーナー部に対向する位置から前記第一扉体の内側端部裏側コーナー部に対向する位置まで、前記第一扉体の内側端部と第二扉体の内側端部裏側コーナー部間の隙間を前記許容値以下に保持した状態で移動するように、前記第二扉体が前記第一扉体に対して前記第四軸を中心に回転して、
前記閉状態にすることを特徴とする指挟み防止折戸。
【請求項２】
前記第二軸は、前記蝶番上にあることを特徴とする請求項１に記載の指挟み防止折戸。
【請求項３】
前記蝶番は、前記第一軸に連結される第一リンクバーに対して、前記第三軸に連結される第二リンクバーが回転可能でかつその回転を所定位置で阻止可能に連結されてなる第一リンク機構と、
前記第二軸に連結される第三リンクバーと前記第二扉体の内側端部裏側コーナー部周りに回転自在に連結される第四リンクバーとが回転可能に連結されてなる第二リンク機構と、
前記第一扉体の内側端部表側コーナー部と前記第二扉体の内側端部裏側コーナー部間の隙間を前記許容値以下に保持するように、前記第一扉体側に固定可能かつ前記第一扉体に対して前記第二扉体を回転自在に連結可能な第三リンク機構とを備え、
前記開状態において、前記第一リンク機構は、前記第一リンクバーに対する前記第二リンクバーの回転を阻止した状態を保持したままで、前記第二扉体が前記第一扉体に対して前記第一軸を中心に回転し、
前記第一扉体と前記第二扉体とのなす角度が略９０度になったとき、前記第二リンク機構が、前記第一扉体の内側端部と第二扉体の内側端部裏側コーナー部間の隙間を前記許容値以下に規制するとともに、さらに前記第二扉体が前記第一扉体に対して回転することで、前記第一リンク機構の回転阻止が解除され、回転の中心を前記第一軸から前記第二軸に切り替え、前記第二扉体が前記第一扉体に対して前記第二軸を中心に回転し、
前記第二扉体の内側端部裏側コーナー部が前記第一扉体の内側端部表側コーナー部に対向する位置まで移動したとき、前記第三リンク機構は、前記第一扉体側に固定されかつ前記第一扉体に対して前記第二扉体を回転自在に連結し、回転の中心を前記第二軸から前記第三軸に切り替えて、前記第二扉体が前記第一扉体に対して前記第三軸を中心に回転し、
前記第一扉体が前記ガイドレールと略平行になったとき、回転の中心を前記第三軸から前記第四軸に切り替えて、前記第二扉体が前記第一扉体に対して前記第四軸を中心に回転することで、前記第三リンク機構の固定を解除して、前記閉状態にすることを特徴とする請求項１又は２に記載の指挟み防止折戸。
【請求項４】
前記第二扉体の内側端部裏側コーナー部が前記第一扉体の内側端部表側コーナー部に対向する位置まで移動したとき、前記第一リンク機構は、前記所定位置とは異なる位置で、前記第一リンクバーに対する前記第二リンクバーの回転を再度阻止する機能を有し、
前記第一リンク機構を前記第三リンク機構としたことを特徴とする請求項３に記載の指挟み防止折戸。
【請求項５】
前記第二リンク機構の第四リンクバーは、前記第三軸に回転自在に連結され、
前記第二扉体の内側端部裏側コーナー部が前記第一扉体の内側端部表側コーナー部に対向する位置まで移動したとき、前記第二リンク機構は、前記第三リンクバーに対する前記第四リンクバーの回転を阻止するとともに、前記第二軸の回転を阻止する機能を有し、
前記第二リンク機構を前記第三リンク機構としたことを特徴とする請求項３に記載の指挟み防止折戸。
【請求項６】
前記第二扉体の有する走行体に前記第四軸を設けたことを特徴とする請求項１乃至５のうちいずれか一つに記載の指挟み防止折戸。
【請求項７】
前記第一リンク機構は、前記第一リンクバーと前記第二リンクバーとが第一ジョイントによって回転可能に連結されるとともに、前記第二扉体が前記第一扉体に対して前記第一軸を中心に回転するときに、前記第一リンクバー又は前記第二リンクバーに設けられた第一ボールプランジャーが、前記第一ボールプランジャーに対向する前記第二リンクバー又は前記第一リンクバーに形成された第一凹溝に嵌合することで、前記第一リンクバーに対する前記第二リンクバーの回転を阻止した状態を保持することを特徴とする請求項３乃至６のうちいずれか一つに記載の指挟み防止折戸。
【請求項８】
前記第一リンク機構は、前記第一リンクバーと前記第二リンクバーとが第一ジョイントによって回転可能に連結されるとともに、前記第二扉体が前記第一扉体に対して前記第一軸を中心に回転するときに、前記第一リンクバー又は前記第二リンクバーに設けられた第一ボールプランジャーが、前記第一ボールプランジャーに対向する前記第二リンクバー又は前記第一リンクバーに形成された第一凹溝に嵌合することで、前記第一リンクバーに対する前記第二リンクバーの回転を阻止した状態を保持し、
前記第一ボールプランジャーに対向する前記第二リンクバー又は前記第一リンクバーにはさらに第二凹溝が形成され、前記第二扉体の内側端部裏側コーナー部が前記第一扉体の内側端部表側コーナー部に対向する位置まで移動したときに、前記第一ボールプランジャーが前記第二凹溝に嵌合することで、前記第一リンクバーに対する前記第二リンクバーの回転を再度阻止した状態を保持することを特徴とする請求項４に記載の指挟み防止折戸。
【請求項９】
外側端部が回転自在に固定されるか又は回転自在にガイドレールに案内される第一扉体及び前記ガイドレールに案内される走行体を有する第二扉体の内側端部同士を連結し、前記ガイドレールに略垂直方向に折り畳んだ開状態から閉状態に又はその逆に開閉自在とする折戸の蝶番であって、
前記第一扉体の内側端部裏側コーナー部周りに又は前記第一扉体及び第二扉体の対向する内側端部裏側コーナー部間に回転自在に取付けられた第一軸と、
前記第一軸よりも前記第一扉体の外側端部側に設けられた回転自在の第二軸と、
前記第二扉体の内側端部裏側コーナー部周りに回転自在に取付けられた第三軸と、
前記第一軸に連結される第一リンクバーに対して、前記第三軸に連結される第二リンクバーが回転可能でかつその回転を所定位置で阻止可能に連結されてなる第一リンク機構と、
前記第二軸に連結される第三リンクバーと前記第二扉体の内側端部裏側コーナー部周りに回転自在に連結される第四リンクバーとが回転可能に連結されてなる第二リンク機構と、
前記第一扉体の内側端部表側コーナー部と前記第二扉体の内側端部裏側コーナー部間の隙間を許容値以下に保持するように、前記第一扉体側に固定可能 かつ前記第一扉体に対して前記第二扉体を回転自在に連結可能な第三リンク機構とを備え、
前記開状態において、前記第一リンク機構は、前記第一リンクバーに対する前記第二リンクバーの回転を阻止した状態を保持したままで、前記第二扉体が前記第一扉体に対して前記第一軸を中心に回転し、
前記第一扉体と前記第二扉体とのなす角度が略９０度になったとき、前記第二リンク機構が、前記第一扉体の内側端部と第二扉体の内側端部裏側コーナー部間の隙間を前記許容値以下に規制するとともに、さらに前記第二扉体が前記第一扉体に対して回転することで、前記第一リンク機構の回転阻止が解除され、回転の中心を前記第一軸から前記第二軸に切り替え、前記第二扉体が前記第一扉体に対して前記第二軸を中心に回転し、
前記第二扉体の内側端部裏側コーナー部が前記第一扉体の内側端部表側コーナー部に対向する位置まで移動したとき、前記第三リンク機構は、前記第一扉体側に固定されかつ前記第一扉体に対して前記第二扉体を回転自在に連結し、回転の中心を前記第二軸から前記第三軸に切り替えて、前記第二扉体が前記第一扉体に対して前記第三軸を中心に回転し、
前記第一扉体が前記ガイドレールと略平行になったとき、回転の中心を前記第三軸から、前記第三軸よりも前記第二扉体の外側端部側に設けられた回転自在の前記走行体に切り替えて、前記第二扉体が前記第一扉体に対して前記走行体を中心に回転することで、前記第三リンク機構の固定を解除して、前記閉状態にすることを特徴とする指挟み防止折戸専用の蝶番。
【請求項１０】
前記第二扉体の内側端部裏側コーナー部が前記第一扉体の内側端部表側コーナー部に対向する位置まで移動したとき、前記第一リンク機構は、前記所定位置とは異なる位置で、前記第一リンクバーに対する前記第二リンクバーの回転を再度阻止する機能を有し、
前記第一リンク機構を前記第三リンク機構としたことを特徴とする請求項９に記載の指挟み防止折戸専用の蝶番。
【請求項１１】
前記第二リンク機構の第四リンクバーは、前記第三軸に回転自在に連結され、
前記第二扉体の内側端部裏側コーナー部が前記第一扉体の内側端部表側コーナー部に対向する位置まで移動したとき、前記第二リンク機構は、前記第三リンクバーに対する前記第四リンクバーの回転を阻止するとともに、前記第二軸の回転を阻止する機能を有し、
前記第二リンク機構を前記第三リンク機構としたことを特徴とする請求項９に記載の指挟み防止折戸専用の蝶番。
【請求項１２】
前記第一リンク機構は、前記第一リンクバーと前記第二リンクバーとが第一ジョイントによって回転可能に連結されるとともに、前記第二扉体が前記第一扉体に対して前記第一軸を中心に回転するときに、前記第一リンクバー又は前記第二リンクバーに設けられた第一ボールプランジャーが、前記第一ボールプランジャーに対向する前記第二リンクバー又は前記第一リンクバーに形成された第一凹溝に嵌合することで、前記第一リンクバーに対する前記第二リンクバーの回転を阻止した状態を保持することを特徴とする請求項９乃至１１のうちいずれか一つに記載の指挟み防止折戸専用の蝶番。
【請求項１３】
前記第一リンク機構は、前記第一リンクバーと前記第二リンクバーとが第一ジョイントによって回転可能に連結されるとともに、前記第二扉体が前記第一扉体に対して前記第一軸を中心に回転するときに、前記第一リンクバー又は前記第二リンクバーに設けられた第一ボールプランジャーが、前記第一ボールプランジャーに対向する前記第二リンクバー又は前記第一リンクバーに形成された第一凹溝に嵌合することで、前記第一リンクバーに対する前記第二リンクバーの回転を阻止した状態を保持し、
前記第一ボールプランジャーに対向する前記第二リンクバー又は前記第一リンクバーにはさらに第二凹溝が形成され、前記第二扉体の内側端部裏側コーナー部が前記第一扉体の内側端部表側コーナー部に対向する位置まで移動したときに、前記第一ボールプランジャーが前記第二凹溝に嵌合することで、前記第一リンクバーに対する前記第二リンクバーの回転を再度阻止した状態を保持することを特徴とする請求項１１に記載の指挟み防止折戸専用の蝶番。
【発明の詳細な説明】
【技術分野】
【０００１】
本発明は、二枚の扉体の内側端部同士が蝶番で連結され、折り畳みにより開閉自在の折戸及び折戸専用の蝶番に関するものである。
【背景技術】
【０００２】
近年、一般住宅のクローゼット等の収納では従来の襖に代表される引戸式の扉に代わって、「折戸」と称される折畳み式の扉を使用する例が増えている。
このような折戸は、二枚の扉体の内側端部同士を一軸からなる蝶番で連結することで折り畳み自在となっており、これに用いられる蝶番は、一般のドア等に広く使用されているものである。
従来からの引戸では通常、開状態において一方の扉体に他方の扉体が重なるため一度に１／２（扉体一枚分）しか開口できない欠点を有するのに対し、折戸は開状態においてガイドレールに略垂直に折り畳まれ、収納内部が全開放状態となるので、内容物の確認や収納が容易といった特徴がある。
つまり、折戸は、通常の引戸と異なり、開放時に扉体が重ならず、開口部が極めて広く取れるので、特にクローゼット等の収納用の扉として好都合である。更に、この特徴を利用して、部屋間の可動間仕切りに使用する例もある。
【０００３】
ところで、折戸には以上のような特徴があるものの、図１２（ａ）に示すように、扉体１１，１２の内側端部裏側１１ｂ，１２ｂに蝶番１３が取付けられているので、開閉時、特に折り畳んだ開状態において、扉体１１，１２の内側端部１１ａ，１２ａが開閉者の正面に位置し、必然的に指Ｙが危険な扉体１１，１２の内側端部１１ａ，１２ａに触れる可能性が高くなる。この扉体１１，１２の内側端部１１ａ，１２ａに指Ｙが触れた状態で折戸１０を閉状態にすると、図１２（ｂ）に示すように、扉体１１，１２の内側端部１１ａ，１２ａ同士で指Ｙが挟まれてしまう。特に開閉者が幼児の場合、指Ｙが小さいので、危険な隙間に挟まる恐れが一層大きくなる。
【０００４】
このように、折戸１０には指挟みの危険性がある事から、（社）日本建材・住宅設備産業協会では「内装用折戸の製品安全指針」が示されており、許容値として扉体の内側端部１１ａ，１２ａ同士の隙間を常に指が入らない５ミリ未満とするか、指のサイズよりも大きい１３ミリ以上とすることが求められている。したがって、各社からこの指針に準拠した、扉体間の隙間が５〜１３ミリにならないような各種蝶番や取付け方法が開発されている。
【０００５】
そのうち、従来例１としては、図１３に示すように、扉体１１，１２の内側端部表側１１ｃ，１２ｃに大きな欠除部（面取）１４を設けて、指Ｙを挟んでしまう扉体１１，１２の内側端部１１ａ，１２ａを最小とするものがある（例えば、特許文献１乃至３参照）。
この方法は基本的に従来の蝶番１３をそのまま又は若干の改良を行う程度での使用が可能で、欠除部１４は直線状又は曲面状の面加工を行う。
指Ｙが最も挟まり易い部分（蝶番１３の無い側）を減少させる事で、一定の効果が期待できる。
【０００６】
従来例２として、折戸１０が閉状態となった際に生じる隙間を覆う板状、蛇腹状その他の覆い部材を、扉体１１，１２の内側端部１１ａ，１２ａが完全に覆われるように取付けて、隙間に指先が入り込まないようにする方法がある（例えば、特許文献４乃至６参照）。
また、裏面の蝶番１３取付け部分付近の、幅が５〜１３ミリの隙間を塞ぐ部材を用いる場合もある（例えば、特許文献７及び８参照）。
この方法は、危険な部分を覆うことによって隙間に手が入らなくなるので、安全性が高い。また、従来の扉体１１，１２に後から付加的に取り付けが可能なタイプを用いれば、既存折戸１０の改修も可能である。さらに、覆い部材は安価で、交換も比較的容易なので、使用者自ら安全対策を行うこともできる。
【０００７】
また、従来例３としては、扉体１１，１２の内側端部１１ａ，１２ａにゴム等の軟質材を取付け、扉体１１，１２同士の隙間を軟質材で充填したものがある（例えば、特許文献９及び１０参照）。
この発明によると、閉状態となるときに扉体１１，１２の内側端部１１ａ，１２ａ間に指Ｙが挟まっても軟質材の方が変形するので、指Ｙを傷つけない。また、折戸１０の閉状態では、一見すると扉体１１，１２表面に隙間やハンドル、面取り等の凹凸の無い平坦な仕上がりとする事も可能で、平坦なデザインを要求される場合に有効である。
【０００８】
また、従来例４として、隣接する扉体１１，１２の隙間を、常時指Ｙのサイズよりも広くしたものや、隙間自体を発生させないものがある（例えば、特許文献１１乃至１３参照）。
特許文献１１に記載の発明では、二軸構造の蝶番等を用いる事で扉体１１，１２間の隙間を広く確保している。
特許文献１２に記載の発明では、閉状態から開状態とするときに手を掛けて引くための手掛り部を扉体１１，１２の内側端部１１ａ，１２ａに設けている。つまり、扉体１１，１２の隙間に指Ｙを入れることを前提として、隣接する扉体１１，１２の隙間を広く取っている。
隙間のサイズが指Ｙ以上なので、挟まれる可能性は皆無で、指Ｙを２本重ねるといった、故意に近い事を行なわない限り、通常の使用では、指Ｙが挟まれる危険性は殆ど無い。なお、この隙間が目立つ場合には、従来例３に使用したような軟質材を充填して隙間を隠蔽する事も考えられる。
また、特許文献１３に記載の発明では、縁材と蝶番１３を一体化した部材を用いて、危険な隙間自体を発生させない構造としている。
【０００９】
従来例５として、危険な扉体１１，１２の内側端部１１ａ，１２ａに手が触れないように、ハンドル（把手、取手）を設けて、これを用いて開閉するように仕向ける方法である（例えば、特許文献１４及び１５参照）。
ハンドルがあれば、人は自然にそれを握るようになるので、ハンドルを正しく握って操作する限り、危険な部分に指Ｙが到達せず、危険性は大幅に低下する。又、ハンドルの形状によっては握り易く、開閉時に力を入れやすくなるので、開閉が容易になる効果もある。
【先行技術文献】
【特許文献】
【００１０】
【特許文献１】実開平０６−０６５５９４号公報
【特許文献２】実開昭５２−００５４５２号公報
【特許文献３】実公昭４８−０２４６７９号公報
【特許文献４】特開２０１０−００７４２７号公報
【特許文献５】特開平０８−０１３９３３号公報
【特許文献６】特開平０８−２７０３１３号公報
【特許文献７】特開２００４−０６８３７５号公報
【特許文献８】特開２００６−２４１８６７号公報
【特許文献９】特開平０８−０６８２６９号公報
【特許文献１０】特開平０９−０３２４２８号公報
【特許文献１１】特開２００９−０５２３６５号公報
【特許文献１２】特開２００６−２２６０７９号公報
【特許文献１３】特開２００８−１９０１４２号公報
【特許文献１４】特開平１０−０６８２７１号公報
【特許文献１５】特許第３０６１５９１号公報
【発明の概要】
【発明が解決しようとする課題】
【００１１】
しかしながら、大型の面取り加工や扉間隙間５〜１３ミリを避けるような各種蝶番１３や取付け方法を用いた場合、以下のような問題があった。
【００１２】
（１）指挟み防止効果が低い
従来例１に示されたような大きな面取１４は、一定の効果はあるものの、扉体１１，１２の内側端部１１ａ，１２ａのうち面取されずに残された部分は、相変わらず指Ｙを挟む危険性を保ったままであり、完全な指挟み防止効果までは期待できない。
【００１３】
従来例２の場合、覆い部材が適切な位置に正しく設置されている限りは十分な効果が期待されると考えられるが、設置費用を節約して、例えば日常手が当る高さ１〜１．５メートルの範囲だけに設置を限定した場合、これ以外の部分は危険なままで放置された事となる。又、蛇腹状の覆い部材は耐久性に乏しい場合が多く、特に５年、１０年といった長期間の使用によって破損する可能性が極めて高い。
従来例３の場合、扉体１１，１２の内側端部１１ａ，１２ａに取付けられた軟質材が過度に軟質だと形状が不安定となり易いので、硬めとしてしまう場合が多いが、硬すぎた場合は指Ｙを挟んだ際の怪我防止の効果が低下する。又、材質によっては低温や紫外線や化学薬品等の影響による劣化で柔軟性を喪失し、硬度が増して危険となる場合もある。
【００１４】
従来例４の場合、指Ｙを２本重ねて隙間に入れるといった、故意に近い悪戯は大人ではあまり考えられないが、乳幼児では予想外の行動を取る場合もあるので、開状態から閉状態になるにつれ指Ｙの入る程度の隙間が次第に小さくなるという点が変わらない限り、完全に安全とはいえない。
また、大人の親指の爪は幅が１３ミリ以上であるので、装飾の為に爪を伸ばしている場合には爪を隙間で挟む可能性がある。爪を伸ばしていなくても大人の親指の太さは２０ミリ近くあるので、「安全」と称される範囲でも危険な場合もある。
従来例５のハンドルの場合でも、ハンドルのみ操作する限りは安全ではあるものの、ハンドル以外の部分は危険なままなので、不用意にハンドル以外に触れてケガをする恐れは依然として残されている。特に乳幼児はハンドルの意味を理解しないので、危険性に変わりは無い。
【００１５】
（２）デザイン上の制約が大
従来例１に示されたような面取１４において、大きな欠除部(面取）１４が形成されるのは外観面であり、この部分が著しく目立つので、デザイン上の制約が増えてしまう。例えば、扉に凹凸の少ない平板状のデザインを採用したい場合、面取１４があるとこの部分が目立ってしまってデザイン上の目的の達成は困難である。
従来例２のように板状、蛇腹状その他の覆い部材を用いたとき、扉体１１，１２自体が木製であると、扉体１１，１２と覆い部材との質感の相違が顕著で、銘木等高級材を用いた場合、デザイン面で破綻を生じてしまいがちである。
【００１６】
従来例３はゴム等の軟質材を扉体１１，１２の内側端部１１ａ，１２ａに使用しているが、このような軟質材表面を木質材部分と違和感無く同一デザインとするのは極めて困難である。又、軟質材は一般にサイズの精度が低く、光の加減によっては軟質材表面の微妙な凹凸が目立つ場合もある。
従来例４のように、指Ｙが入っても潰されないほど大きな１３ミリ以上の隙間は、安全である半面、外観上深く大きな縦溝が極めて目立ってしまう。もちろん安全上、この溝を１３ミリ以下に狭くする事は不可能である。又、扉体１１，１２と一体型の蝶番１３では、開閉時に金具特有の金属製の側面が露出するので、扉体１１，１２自体が木製である場合、質感の相違が顕著で、銘木等高級材を用いた場合、デザイン面で破綻を生じてしまう恐れがある。
【００１７】
従来例５のハンドルに関しても、ハンドルが極めて目立つので、デザイン上の制約が大である。又、ハンドルは基本的に扉体１１，１２表面から突出するので、例えば廊下壁面に収納を設ける場合は、衣服やカバン等がハンドルに引っ掛かってしまう可能性もある。
【００１８】
（３）耐久性が低い
従来例２に示されたような覆い部材は、基本的にゴムや薄いプラスチック製など、柔軟な部材なので、物が当ったりして破損する恐れがある。又、物が当らなくても、扉が開閉する度に覆い部材も開閉を繰り返すので、長年の使用によって摩滅したり、屈伸部分が破損する可能性が高い。
従来例３のゴム等の軟質材は紫外線や化学薬品等の影響による劣化等、経年変化によって硬化してしまう場合が一般的である。特に窓際に設置する等直射日光が当る場合は顕著である。
従来例５のハンドルに関しても、突出しているので、人や物が衝突して破損の恐れがある。
【００１９】
（４）サイズ適応範囲が狭い
従来例４のように、蝶番１３自体を大型化して、扉体１１，１２の内側端部１１ａ，１２ａ全体を覆うような構造の場合、扉体１１，１２のサイズ（縦幅）に合わせた蝶番１３を準備しなければならず、取付け可能な扉の種類も限られてしまう。
また、蝶番１３と扉体１１，１２の内側端部１１ａ，１２ａが一体化したようなデザインの場合、木製の扉体１１，１２に従来の蝶番１３を組み合わせた折戸１０のように扉体１１，１２上部を切断して天井高さに合わせるといった現場での施工が困難である。つまり、木製部分の切断は容易であっても、金具部分の切断といった加工は、専用の金属切断機が必要な為に、極めて困難であって、様々な天井高に対して適応範囲が狭い。したがって、各扉体１１，１２のサイズに合う専用のサイズの蝶番１３が必要となってしまう。
因みに、現場でのサイズ合わせの施工に関しては、新築現場、特に集合住宅では、コストダウンの為に、設計の段階で各種サイズが統一される場合が多いので、あまり問題とはされないが、リフォームの場合は現場ごとに様々なサイズの扉体１１，１２があり、現場でのサイズ合わせが必要である。
【００２０】
（５）後付けは困難
従来例２のような隙間を覆う板状、蛇腹状その他の覆い部材は、ホームセンター等にて単品で市販されている場合もあるので、比較的容易に使用者が設置可能であるが、それ以外の方法はいずれも後付けは困難である。特に従来例３や従来例４は、折戸１０の製造過程で予め組み込む必要があり、後付けは不可能である。
【００２１】
そこで、本発明の目的とするところは、確実に扉体の内側端部間の隙間での指挟みを防止でき、しかも折戸自体のデザインに影響を与え難い指挟み防止折戸及び指挟み防止折戸専用の蝶番を提供することにある。
【課題を解決するための手段】
【００２２】
上記の目的を達成するために、本発明の請求項１に記載の指挟み防止折戸（２０）は、第一扉体（２１）及び第二扉体（２２）の内側端部（２１ａ，２２ａ）同士が蝶番（３０）で連結され、前記第二扉体（２２）はガイドレールに案内される走行体を有するとともに、前記第一扉体（２１）は外側端部（２１ｂ）が回転自在に固定されるか又は前記第一扉体（２１）は回転自在に前記ガイドレールに案内され、前記ガイドレールに略垂直方向に折り畳んだ開状態から閉状態に又はその逆に開閉自在の折戸であって、前記蝶番（３０）は、前記第一扉体（２１）の内側端部裏側コーナー部（２１ｃ）周りに又は前記第一扉体（２１）及び第二扉体（２２）の対向する内側端部裏側コーナー部（２１ｃ，２２ｃ）間に回転自在に取付けられた第一軸（３３）と、前記第二扉体（２２）の内側端部裏側コーナー部（２２ｃ）周りに回転自在に取付けられた第三軸（３５）を備え、前記開状態から、前記第一扉体（２１）の内側端部裏側コーナー部（２１ｃ）と前記第二扉体（２２）の内側端部裏側コーナー部（２２ｃ）間の隙間を許容値以下に保持した状態で、前記第二扉体（２２）が前記第一扉体（２１）に対して前記第一軸（３３）を中心に回転して、前記第一扉体（２１）と前記第二扉体（２２）とのなす角度を略９０度とし、その状態で回転の中心を前記第一軸（３３）から、前記第一軸（３３）よりも前記第一扉体（２１）の外側端部（２１ｂ）側に設けられた回転自在の第二軸（３４）に切り替えて、前記第二扉体（２２）の内側端部裏側コーナー部（２２ｃ）が前記第一扉体（２１）の内側端部裏側コーナー部（２１ｃ）に対向する位置から前記第一扉体（２１）の内側端部表側コーナー部（２１ｄ）に対向する位置まで、前記第一扉体（２１）の内側端部（２１ａ）と第二扉体（２２）の内側端部裏側コーナー部（２２ｃ）間の隙間を前記許容値以下に保持した状態で移動するように、前記第二扉体（２２）が前記第一扉体（２１）に対して前記第二軸（３４）を中心に回転し、回転の中心を前記第二軸（３４）から前記第三軸（３５）に切り替えて、前記第一扉体（２１）の内側端部表側コーナー部（２１ｄ）と前記第二扉体（２２）の内側端部裏側コーナー部（２２ｃ）間の隙間を前記許容値以下に保持した状態で、前記第二扉体（２２）が前記第一扉体（２１）に対して前記第三軸（３５）を中心に回転して、前記角度をさらに大きくして、前記第一扉体（２１）が前記ガイドレールと略平行になったとき、回転の中心を前記第三軸（３５）から、前記第三軸（３５）よりも前記第二扉体（２２）の外側端部（２２ｂ）側に設けられた回転自在の第四軸（２３）に切り替えて、前記第二扉体（２２）の内側端部裏側コーナー部（２２ｃ）が前記第一扉体（２１）の内側端部表側コーナー部（２１ｄ）に対向する位置から前記第一扉体（２１）の内側端部裏側コーナー部（２１ｃ）に対向する位置まで、前記第一扉体（２１）の内側端部（２１ａ）と第二扉体（２２）の内側端部裏側コーナー部（２２ｃ）間の隙間を前記許容値以下に保持した状態で移動するように、前記第二扉体（２２）が前記第一扉体（２１）に対して前記第四軸（２３）を中心に回転して、前記閉状態にすることを特徴とする。
【００２３】
また、請求項２に記載の指挟み防止折戸（２０）は、前記第二軸（３４）は、前記蝶番（３０）上にあることを特徴とする。
【００２４】
また、請求項３に記載の指挟み防止折戸（２０）は、前記蝶番（３０）は、前記第一軸（３３）に連結される第一リンクバー（３７）に対して、前記第三軸（３５）に連結される第二リンクバー（３８）が回転可能でかつその回転を所定位置で阻止可能に連結されてなる第一リンク機構（３６）と、前記第二軸（３４）に連結される第三リンクバー（４０）と前記第二扉体（２２）の内側端部裏側コーナー部（２２ｃ）周りに回転自在に連結される第四リンクバー（４１）とが回転可能に連結されてなる第二リンク機構（３９）と、前記第一扉体（２１）の内側端部表側コーナー部（２１ｄ）と前記第二扉体（２２）の内側端部裏側コーナー部（２２ｃ）間の隙間を前記許容値以下に保持するように、前記第一扉体（２１）側に固定可能かつ前記第一扉体（２１）に対して前記第二扉体（２２）を回転自在に連結可能な第三リンク機構とを備え、前記開状態において、前記第一リンク機構（３６）は、前記第一リンクバー（３７）に対する前記第二リンクバー（３８）の回転を阻止した状態を保持したままで、前記第二扉体（２２）が前記第一扉体（２１）に対して前記第一軸（３３）を中心に回転し、前記第一扉体（２１）と前記第二扉体（２２）とのなす角度が略９０度になったとき、前記第二リンク機構（３９）が、前記第一扉体（２１）の内側端部（２１ａ）と第二扉体（２２）の内側端部裏側コーナー部（２２ｃ）間の隙間を前記許容値以下に規制するとともに、さらに前記第二扉体（２２）が前記第一扉体（２１）に対して回転することで、前記第一リンク機構（３６）の回転阻止が解除され、回転の中心を前記第一軸（３３）から前記第二軸（３４）に切り替え、前記第二扉体（２２）が前記第一扉体（２１）に対して前記第二軸（３４）を中心に回転し、前記第二扉体（２２）の内側端部裏側コーナー部（２２ｃ）が前記第一扉体（２１）の内側端部表側コーナー部（２１ｄ）に対向する位置まで移動したとき、前記第三リンク機構は、前記第一扉体（２１）側に固定されかつ前記第一扉体（２１）に対して前記第二扉体（２２）を回転自在に連結し、回転の中心を前記第二軸（３４）から前記第三軸（３５）に切り替えて、前記第二扉体（２２）が前記第一扉体（２１）に対して前記第三軸（３５）を中心に回転し、前記第一扉体（２１）が前記ガイドレールと略平行になったとき、回転の中心を前記第三軸（３５）から前記第四軸（２３）に切り替えて、前記第二扉体（２２）が前記第一扉体（２１）に対して前記第四軸（２３）を中心に回転することで、前記第三リンク機構の固定を解除して、前記閉状態にすることを特徴とする。
【００２５】
また、請求項４に記載の指挟み防止折戸（２０）は、前記第二扉体（２２）の内側端部裏側コーナー部（２２ｃ）が前記第一扉体（２１）の内側端部表側コーナー部（２１ｄ）に対向する位置まで移動したとき、前記第一リンク機構（３６）は、前記所定位置とは異なる位置で、前記第一リンクバー（３７）に対する前記第二リンクバー（３８）の回転を再度阻止する機能を有し、前記第一リンク機構（３６）を前記第三リンク機構としたことを特徴とする。
【００２６】
また、請求項５に記載の指挟み防止折戸（２０）は、前記第二リンク機構（３９）の第四リンクバー（４１）は、前記第三軸（３５）に回転自在に連結され、前記第二扉体（２２）の内側端部裏側コーナー部（２２ｃ）が前記第一扉体（２１）の内側端部表側コーナー部（２１ｄ）に対向する位置まで移動したとき、前記第二リンク機構（３９）は、前記第三リンクバー（４０）に対する前記第四リンクバー（４１）の回転を阻止するとともに、前記第二軸（３４）の回転を阻止する機能を有し、前記第二リンク機構（３９）を前記第三リンク機構としたことを特徴とする。
【００２７】
また、請求項６に記載の指挟み防止折戸（２０）は、前記第二扉体（２２）の有する走行体に前記第四軸（２３）を設けたことを特徴とする。
【００２８】
また、請求項７に記載の指挟み防止折戸（２０）は、前記第一リンク機構（３６）は、前記第一リンクバー（３７）と前記第二リンクバー（３８）とが第一ジョイント（４３）によって回転可能に連結されるとともに、前記第二扉体（２２）が前記第一扉体（２１）に対して前記第一軸（３３）を中心に回転するときに、前記第一リンクバー（３７）又は前記第二リンクバー（３８）に設けられた第一ボールプランジャー（４４）が、前記第一ボールプランジャー（４４）に対向する前記第二リンクバー（３８）又は前記第一リンクバー（３７）に形成された第一凹溝（４５）に嵌合することで、前記第一リンクバー（３７）に対する前記第二リンクバー（３８）の回転を阻止した状態を保持することを特徴とする。
【００２９】
また、請求項８に記載の指挟み防止折戸（２０）は、前記第一リンク機構（３６）は、前記第一リンクバー（３７）と前記第二リンクバー（３８）とが第一ジョイント（４３）によって回転可能に連結されるとともに、前記第二扉体（２２）が前記第一扉体（２１）に対して前記第一軸（３３）を中心に回転するときに、前記第一リンクバー（３７）又は前記第二リンクバー（３８）に設けられた第一ボールプランジャー（４４）が、前記第一ボールプランジャー（４４）に対向する前記第二リンクバー（３８）又は前記第一リンクバー（３７）に形成された第一凹溝（４５）に嵌合することで、前記第一リンクバー（３７）に対する前記第二リンクバー（３８）の回転を阻止した状態を保持し、前記第一ボールプランジャー（４４）に対向する前記第二リンクバー（３８）又は前記第一リンクバー（３７）にはさらに第二凹溝（４６）が形成され、前記第二扉体（２２）の内側端部裏側コーナー部（２２ｃ）が前記第一扉体（２１）の内側端部表側コーナー部（２１ｄ）に対向する位置まで移動したときに、前記第一ボールプランジャー（４４）が前記第二凹溝（４６）に嵌合することで、前記第一リンクバー（３７）に対する前記第二リンクバー（３８）の回転を再度阻止した状態を保持することを特徴とする。
【００３０】
また、請求項９に記載の指挟み防止折戸（２０）専用の蝶番（３０）は、外側端部（２１ｂ）が回転自在に固定されるか又は回転自在にガイドレールに案内される第一扉体（２１）及び前記ガイドレールに案内される走行体を有する第二扉体（２２）の内側端部（２１ａ，２２ａ）同士を連結し、前記ガイドレールに略垂直方向に折り畳んだ開状態から閉状態に又はその逆に開閉自在とする折戸の蝶番（３０）であって、前記第一扉体（２１）の内側端部裏側コーナー部（２１ｃ）周りに又は前記第一扉体（２１）及び第二扉体（２２）の対向する内側端部裏側コーナー部（２１ｃ，２２ｃ）間に回転自在に取付けられた第一軸（３３）と、前記第一軸（３３）よりも前記第一扉体（２１）の外側端部（２１ｂ）側に設けられた回転自在の第二軸（３４）と、前記第二扉体（２２）の内側端部裏側コーナー部（２２ｃ）周りに回転自在に取付けられた第三軸（３５）と、前記第一軸（３３）に連結される第一リンクバー（３７）に対して、前記第三軸（３５）に連結される第二リンクバー（３８）が回転可能でかつその回転を所定位置で阻止可能に連結されてなる第一リンク機構（３６）と、前記第二軸（３４）に連結される第三リンクバー（４０）と前記第二扉体（２２）の内側端部裏側コーナー部（２２ｃ）周りに回転自在に連結される第四リンクバー（４１）とが回転可能に連結されてなる第二リンク機構（３９）と、前記第一扉体（２１）の内側端部表側コーナー部（２１ｄ）と前記第二扉体（２２）の内側端部裏側コーナー部（２２ｃ）間の隙間を許容値以下に保持するように、前記第一扉体（２１）側に固定可能 かつ前記第一扉体（２１）に対して前記第二扉体（２２）を回転自在に連結可能な第三リンク機構とを備え、前記開状態において、前記第一リンク機構（３６）は、前記第一リンクバー（３７）に対する前記第二リンクバー（３８）の回転を阻止した状態を保持したままで、前記第二扉体（２２）が前記第一扉体（２１）に対して前記第一軸（３３）を中心に回転し、前記第一扉体（２１）と前記第二扉体（２２）とのなす角度が略９０度になったとき、前記第二リンク機構（３９）が、前記第一扉体（２１）の内側端部（２１ａ）と第二扉体（２２）の内側端部裏側コーナー部（２２ｃ）間の隙間を前記許容値以下に規制するとともに、さらに前記第二扉体（２２）が前記第一扉体（２１）に対して回転することで、前記第一リンク機構（３６）の回転阻止が解除され、回転の中心を前記第一軸（３３）から前記第二軸（３４）に切り替え、前記第二扉体（２２）が前記第一扉体（２１）に対して前記第二軸（３４）を中心に回転し、前記第二扉体（２２）の内側端部裏側コーナー部（２２ｃ）が前記第一扉体（２１）の内側端部表側コーナー部（２１ｄ）に対向する位置まで移動したとき、前記第三リンク機構は、前記第一扉体（２１）側に固定されかつ前記第一扉体（２１）に対して前記第二扉体（２２）を回転自在に連結し、回転の中心を前記第二軸（３４）から前記第三軸（３５）に切り替えて、前記第二扉体（２２）が前記第一扉体（２１）に対して前記第三軸（３５）を中心に回転し、前記第一扉体（２１）が前記ガイドレールと略平行になったとき、回転の中心を前記第三軸（３５）から、��記第三軸（３５）よりも前記第二扉体（２２）の外側端部（２２ｂ）側に設けられた回転自在の前記走行体に切り替えて、前記第二扉体（２２）が前記第一扉体（２１）に対して前記走行体を中心に回転することで、前記第三リンク機構の固定を解除して、前記閉状態にすることを特徴とする。
【００３１】
また、請求項１０に記載の指挟み防止折戸（２０）専用の蝶番（３０）は、前記第二扉体（２２）の内側端部裏側コーナー部（２２ｃ）が前記第一扉体（２１）の内側端部表側コーナー部（２１ｄ）に対向する位置まで移動したとき、前記第一リンク機構（３６）は、前記所定位置とは異なる位置で、前記第一リンクバー（３７）に対する前記第二リンクバー（３８）の回転を再度阻止する機能を有し、前記第一リンク機構（３６）を前記第三リンク機構としたことを特徴とする。
【００３２】
また、請求項１１に記載の指挟み防止折戸（２０）専用の蝶番（３０）は、前記第二リンク機構（３９）の第四リンクバー（４１）は、前記第三軸（３５）に回転自在に連結され、前記第二扉体（２２）の内側端部裏側コーナー部（２２ｃ）が前記第一扉体（２１）の内側端部表側コーナー部（２１ｄ）に対向する位置まで移動したとき、前記第二リンク機構（３９）は、前記第三リンクバー（４０）に対する前記第四リンクバー（４１）の回転を阻止するとともに、前記第二軸（３４）の回転を阻止する機能を有し、前記第二リンク機構（３９）を前記第三リンク機構としたことを特徴とする。
【００３３】
また、請求項１２に記載の指挟み防止折戸（２０）専用の蝶番（３０）は、前記第一リンク機構（３６）は、前記第一リンクバー（３７）と前記第二リンクバー（３８）とが第一ジョイント（４３）によって回転可能に連結されるとともに、前記第二扉体（２２）が前記第一扉体（２１）に対して前記第一軸（３３）を中心に回転するときに、前記第一リンクバー（３７）又は前記第二リンクバー（３８）に設けられた第一ボールプランジャー（４４）が、前記第一ボールプランジャー（４４）に対向する前記第二リンクバー（３８）又は前記第一リンクバー（３７）に形成された第一凹溝（４５）に嵌合することで、前記第一リンクバー（３７）に対する前記第二リンクバー（３８）の回転を阻止した状態を保持することを特徴とする。
【００３４】
また、請求項１３に記載の指挟み防止折戸（２０）専用の蝶番（３０）は、前記第一リンク機構（３６）は、前記第一リンクバー（３７）と前記第二リンクバー（３８）とが第一ジョイント（４３）によって回転可能に連結されるとともに、前記第二扉体（２２）が前記第一扉体（２１）に対して前記第一軸（３３）を中心に回転するときに、前記第一リンクバー（３７）又は前記第二リンクバー（３８）に設けられた第一ボールプランジャー（４４）が、前記第一ボールプランジャー（４４）に対向する前記第二リンクバー（３８）又は前記第一リンクバー（３７）に形成された第一凹溝（４５）に嵌合することで、前記第一リンクバー（３７）に対する前記第二リンクバー（３８）の回転を阻止した状態を保持し、前記第一ボールプランジャー（４４）に対向する前記第二リンクバー（３８）又は前記第一リンクバー（３７）にはさらに第二凹溝（４６）が形成され、前記第二扉体（２２）の内側端部裏側コーナー部（２２ｃ）が前記第一扉体（２１）の内側端部表側コーナー部（２１ｄ）に対向する位置まで移動したときに、前記第一ボールプランジャー（４４）が前記第二凹溝（４６）に嵌合することで、前記第一リンクバー（３７）に対する前記第二リンクバー（３８）の回転を再度阻止した状態を保持することを特徴とする。
【００３５】
なお、ここでいう許容値以下とは、乳幼児の細い指であっても挟まないほど狭いことをいい、（社）日本建材・住宅設備産業協会の内装用折戸の製品安全指針に示されたように５ミリ以下を指す。
【００３６】
ここで、上記括弧内の記号は、図面および後述する発明を実施するための形態に掲載された対応要素または対応事項を示す。
【発明の効果】
【００３７】
本発明の請求項１に記載の指挟み防止折戸によれば、第一扉体及び第二扉体の内側端部同士が蝶番で連結され、蝶番は、第一扉体の内側端部裏側コーナー部周りに又は第一扉体及び第二扉体の対向する内側端部裏側コーナー部間に回転自在に取付けられた第一軸を備え、開状態から、第一扉体の内側端部裏側コーナー部と第二扉体の内側端部裏側コーナー部間の隙間を許容値以下に保持した状態で、第二扉体が第一扉体に対して第一軸を中心に回転して、第一扉体と第二扉体とのなす角度を略９０度とするので、この間、第一扉体の内側端部と第二扉体の内側端部間の隙間で指を挟むことはない。
また、その状態で回転の中心を第一軸から、第一軸よりも第一扉体の外側端部側に設けられた回転自在の第二軸に切り替えて、第二扉体の内側端部裏側コーナー部が第一扉体の内側端部裏側コーナー部に対向する位置から第一扉体の内側端部表側コーナー部に対向する位置まで、第一扉体の内側端部と第二扉体の内側端部裏側コーナー部間の隙間を許容値以下に保持した状態で移動するように、第二扉体が第一扉体に対して第二軸を中心に回転するので、この間、第一扉体の内側端部と第二扉体の内側端部間の隙間で指を挟むことはない。
【００３８】
また、回転の中心を第二軸から第三軸に切り替えて、第一扉体の内側端部表側コーナー部と第二扉体の内側端部裏側コーナー部間の隙間を許容値以下に保持した状態で、第二扉体が第一扉体に対して第三軸を中心に回転して、角度をさらに大きくするので、この間も第一扉体の内側端部と第二扉体の内側端部間の隙間で指を挟むことはない。
さらに、第一扉体がガイドレールと略平行になったとき、回転の中心を第三軸から、第三軸よりも第二扉体の外側端部側に設けられた回転自在の第四軸に切り替えて、第二扉体の内側端部裏側コーナー部が第一扉体の内側端部表側コーナー部に対向する位置から第一扉体の内側端部裏側コーナー部に対向する位置まで、第一扉体の内側端部と第二扉体の内側端部裏側コーナー部間の隙間を許容値以下に保持した状態で移動するように、第二扉体が第一扉体に対して第四軸を中心に回転して、閉状態にするので、この間、第一扉体の内側端部と第二扉体の内側端部間の隙間で指を挟むことはない。
【００３９】
このように、開状態から閉状態に至るまで、常に第一扉体の内側端部と第二扉体の内側端部間の隙間を許容値以下にするので、確実に指挟みを防止でき、安全である。
【００４０】
また、特に第一扉体及び第二扉体内側端部を大きく面取する必要はなく指挟みを防止することができるので、これに伴う扉体内側端部の強度低下、及びデザインへの影響もない。
同様に、第一扉体の内側端部と第二扉体の内側端部間の隙間を覆う指挟み防止用の覆い部材や、指を挟んでも痛くない軟質材を用いずに済み、また、指が間に入っても指を潰さないほど大きな１３ミリ以上の隙間も設ける必要もないので、折戸のデザインに影響を与えない。
また、閉状態でも第一扉体の内側端部と第二扉体の内側端部間の隙間が許容値以下であるので、一般的な蝶番を用いたときと同様に、閉状態において折戸の表側に蝶番が全く露出せず、銘木等の高級材を第一扉体及び第二扉体に用いた場合でもデザイン面で破綻を生じることはない。
また、ハンドルを第一扉体及び第二扉体に取付ける必要もないので、デザイン面に影響を与えず、人や物が引っ掛かって破損するおそれもない。
【００４１】
また、請求項２に記載の指挟み防止折戸によれば、請求項１に記載の発明の作用効果に加え、第二軸は蝶番上にあるので、蝶番を第一扉体及び第二扉体に取付けるだけで、第二扉体の内側端部裏側コーナー部が第一扉体の内側端部裏側コーナー部に対向する位置から第一扉体の内側端部表側コーナー部に対向する位置まで、第一扉体の内側端部と第二扉体の内側端部裏側コーナー部間の隙間を許容値以下に保持することできる。すなわち、蝶番を扉体に取付けるだけで済み、他に第二軸をわざわざ第一扉体に取付ける必要はないので、構造が簡易である。
【００４２】
また、請求項３に記載の指挟み防止折戸によれば、請求項１又は２に記載の発明の作用効果に加え、蝶番は、請求項９にも記載したように、第一軸に連結される第一リンクバーに対して、第三軸に連結される第二リンクバーが回転可能でかつその回転を所定位置で阻止可能に連結されてなる第一リンク機構と、第二軸に連結される第三リンクバーと第二扉体の内側端部裏側コーナー部周りに回転自在に連結される第四リンクバーとが回転可能に連結されてなる第二リンク機構と、第一扉体の内側端部表側コーナー部と第二扉体の内側端部裏側コーナー部間の隙間を許容値以下に保持するように、第一扉体側に固定可能かつ第一扉体に対して第二扉体を回転自在に連結可能な第三リンク機構とを備え、この蝶番によって常に第一扉体の内側端部と第二扉体の内側端部間の隙間を許容値以下にするので、蝶番を第一扉体及び第二扉体に取付けるだけで指挟みを防止できる。つまり、第一扉体及び第二扉体等の他の部材は通常のものを使用することができるので、指挟み防止折戸を容易に導入することができる。
これにより、施工済みの既存折戸に取付けられている蝶番を外して、指挟み防止折戸専用の蝶番を取付けるだけで、既存の折戸を安全な指挟み防止折戸へ改修することもできる。つまり、蝶番だけを後付けして指挟みを防止できるので、既存の折戸を廃棄せずに済み、無駄が少ない。
【００４３】
また、一組の折戸に対し二、三箇所に蝶番を取付けるだけで指挟みを防止できるので、扉体の上端や下端といった扉体の加工時の長さ調節部分を避けて蝶番を取付けていれば、蝶番が、扉体の上端や下端を切断する際の障害にならない。このことは、特にリフォーム等、扉体のサイズを天井高に現場合わせで加工を行う必要がある場合に極めて好都合である。もちろん、ほとんど全てのサイズの扉体に対して蝶番を取付け可能である。
さらに、通常、蝶番は金属製であるので、繰り返し折戸を開閉しても破損することは考え難い。また経年変化による劣化もなく、耐久性が高い。
【００４４】
また、請求項４に記載の指挟み防止折戸によれば、請求項３に記載の発明の作用効果に加え、請求項１０にも記載したように、第二扉体の内側端部裏側コーナー部が第一扉体の内側端部表側コーナー部に対向する位置まで移動したとき、第一リンク機構は、所定位置とは異なる位置で、第一リンクバーに対する第二リンクバーの回転を再度阻止する機能を有し、第一リンク機構が第三リンク機構としたので、別途第三リンク機構を設けずに済み、蝶番の構造が簡易である。よって、蝶番の故障が発生し難く、またコストも低廉である。
【００４５】
また、請求項５に記載の指挟み防止折戸によれば、請求項３に記載の発明の作用効果に加え、第二リンク機構の第四リンクバーは、第三軸に回転自在に連結され、第二扉体の内側端部裏側コーナー部が第一扉体の内側端部表側コーナー部に対向する位置まで移動したとき、第二リンク機構は、第三リンクバーに対する第四リンクバーの回転を阻止するとともに、第二軸の回転を阻止する機能を有し、第二リンク機構が第三リンク機構としたので、別途第三リンク機構を設けずに済み、蝶番の構造が簡易である。よって、蝶番の故障が発生し難く、またコストも低廉である。
【００４６】
また、請求項６に記載の指挟み防止折戸によれば、請求項１乃至５に記載の発明の作用効果に加え、第二扉体の有する走行体に第四軸を設けたので、既存の走行体を中心に第二扉体を回転することができる。すなわち、別途第四軸を設ける必要がなく、構造が簡易である。
【００４７】
また、請求項７に記載の指挟み防止折戸によれば、請求項３乃至６に記載の発明の作用効果に加え、請求項１２にも記載したように、第一リンク機構は、第二扉体が第一扉体に対して第一軸を中心に回転するときに、第一リンクバー又は第二リンクバーに設けられた第一ボールプランジャーが、第一ボールプランジャーに対向する第二リンクバー又は第一リンクバーに形成された第一凹溝に嵌合することで、第一リンクバーに対する第二リンクバーの回転を阻止した状態を保持するので、折戸の開閉にとって最適な嵌合力を得ることが容易である。つまり、第一ボールプランジャーは既存のものであっても様々な嵌合力のものが用意されており、また第一凹溝の深さを浅く形成すれば嵌合力は弱くなり、深く形成すれば嵌合力は強くなるので、嵌合力を任意に選択できる。
【００４８】
また、請求項８に記載の指挟み防止折戸によれば、請求項４に記載の発明の作用効果に加え、請求項１３にも記載したように、第一リンク機構は、第二扉体が第一扉体に対して第一軸を中心に回転するときに、第一リンクバー又は第二リンクバーに設けられた第一ボールプランジャーが、第一ボールプランジャーに対向する第二リンクバー又は第一リンクバーに形成された第一凹溝に嵌合することで、第一リンクバーに対する第二リンクバーの回転を阻止した状態を保持し、しかも、第一ボールプランジャーに対向する第二リンクバー又は第一リンクバーには第二凹溝が形成され、第二扉体の内側端部裏側コーナー部が第一扉体の内側端部表側コーナー部に対向する位置まで移動したときに、第一ボールプランジャーが第二凹溝に嵌合するので、折戸の開閉にとって最適な嵌合力を得ることが容易であることに加え、簡易かつ確実に、異なる二箇所において回転を阻止することができる。
【００４９】
なお、本発明の指挟み防止折戸及び指挟み防止折戸用の蝶番のように、蝶番が第一軸、第二軸、第三軸、第一リンク機構、第二リンク機構、及び第三リンク機構を備え、開状態から閉状態まで、第一扉体の内側端部と第二扉体の内側端部間の隙間を許容値以下に保持する点は、上述した特許文献１乃至１５には全く記載されていない。
【図面の簡単な説明】
【００５０】
【図１】本発明の実施形態に係る指挟み防止折戸が開状態から閉状態となるまでの動作を示す概略図であり、（ａ）は開状態から第一扉体と第二扉体とのなす角が略９０度になった状態を、（ｂ）は第一扉体と第二扉体とのなす角が略９０度になった状態から第二扉体の内側端部裏側コーナー部が第一扉体の内側端部表側コーナー部に対向する状態を、（ｃ）は第二扉体の内側端部裏側コーナー部が第一扉体の内側端部表側コーナー部に対向する状態から第一扉体がガイドレールと略平行になった状態を、（ｄ）は第一扉体がガイドレールと略平行になった状態から閉状態を、それぞれ示す。
【図２】本発明の実施形態に係る指挟み防止折戸を示す斜視図である。
【図３】図２に示す指挟み防止折戸の開状態を示す平面図である。
【図４】図２に示す指挟み防止折戸における第二扉体が、図３に示す状態から第一扉体に対して第一軸を中心に回転している状態を示す平面図である。
【図５】図２に示す指挟み防止折戸の第一扉体と第二扉体とのなす角が略９０度になった状態を示す平面図である。
【図６】図２に示す指挟み防止折戸における第二扉体が、図５に示す状態から第一扉体に対して第二軸を中心に回転している状態を示す平面図である。
【図７】図２に示す指挟み防止折戸における第二扉体の内側端部裏側コーナー部が第一扉体の内側端部表側コーナー部に対向する状態を示す平面図である。
【図８】図２に示す指挟み防止折戸における第二扉体が、図７に示す状態から第一扉体に対して第三軸を中心に回転している状態を示す平面図である。
【図９】図２に示す指挟み防止折戸における第一扉体がガイドレールと略平行になった状態を示す平面図である。
【図１０】図２に示す指挟み防止折戸の閉状態を示す平面図である。
【図１１】図２に示す指挟み防止折戸における第一リンク機構を示す平面図であって、（ａ）は第一ボールプランジャーが第一凹溝に嵌合した状態を、（ｂ）は第一ボールプランジャーが第二凹溝に嵌合した状態を示す。
【図１２】従来例に係る折戸を示す平面図であって、（ａ）は開状態において第一扉体の内側端部と第二扉体の内側端部間の隙間に指を置いた状態を、（ｂ）は（ａ）に示す状態から第一扉体の内側端部と第二扉体の内側端部間の隙間に指を挟む状態を示す。
【図１３】さらに他の従来例に係る折戸を示す平面図である。
【発明を実施するための形態】
【００５１】
図１乃至図１１を参照して、本発明の実施形態に係る指挟み防止折戸２０及び指挟み防止折戸２０専用の蝶番３０を説明する。
この指挟み防止折戸２０は、例えば、左右に延びるように並設されたガイドレールを備えるクローゼットの開口部を開閉自在に塞ぐものである。
そして、第一扉体２１及び第二扉体２２の内側端部２１ａ，２２ａ同士が蝶番３０で連結されてなる。
【００５２】
第一扉体２１は、その外側端部２１ｂがガイドレールの端部に回転自在に固定されている。
第二扉体２２は、その横幅は第一扉体２１の横幅と等しく、外側端部２２ｂの上下にはローラーからなる走行体２３を有する。この走行体２３は第二扉体２２に対して回転自在となっているので、折戸２０の開閉によってガイドレールに対する第二扉体２２の角度が変化しても、走行体２３は円滑にガイドレールに案内される。
【００５３】
本実施形態に係る指挟み防止折戸２０は、ガイドレールに略垂直方向に折り畳んだ開状態から、ガイドレールに平行になる（重なる）閉状態までの第一扉体２１及び第二扉体２２の動きに特徴を有するものであるので、まず、図１を参照してその動きの概略を説明する。
なお、図１における破線は移動後の第二扉体２２を示す。また、本実施形態では、第一扉体２１と第二扉体２２との相対的な位置関係を簡単に示すために、固定された第一扉体２１に対して第二扉体２２だけが動いているように記載するが、実際には第一扉体２１及び第二扉体２２の双方が、ガイドレールに略垂直の状態からガイドレールに平行になるまで動く。
【００５４】
最初に、図１（ａ）に示すように、開状態から、第一扉体２１の内側端部裏側コーナー部２１ｃと第二扉体２２の内側端部裏側コーナー部２２ｃ間の隙間を許容値以下に保持した状態で、第二扉体２２が第一扉体２１に対して第一軸３３を中心に回転して、第一扉体２１と第二扉体２２とのなす角度を略９０度とする。この隙間は、本実施形態においては１〜３ミリに規制している。
【００５５】
次に、図１（ｂ）に示すように、第一扉体２１と第二扉体２２とのなす角度が略９０度の状態で回転の中心を第一軸３３から、第一軸３３よりも第一扉体２１の外側端部２１ｂ側に設けられた回転自在の第二軸３４に切り替えて、第二扉体２２の内側端部裏側コーナー部２２ｃが第一扉体２１の内側端部裏側コーナー部２１ｃに対向する位置から第一扉体２１の内側端部表側コーナー部２１ｄに対向する位置まで、第一扉体２１の内側端部２１ａと第二扉体２２の内側端部裏側コーナー部２２ｃ間の隙間を許容値以下に保持した状態で移動するように、第二扉体２２が第一扉体２１に対して第二軸３４を中心に回転する。
【００５６】
次に、図１（ｃ）に示すように、回転の中心を第二軸３４から、第二扉体２２にある第三軸３５に切り替えて、第一扉体２１の内側端部表側コーナー部２１ｄと第二扉体２２の内側端部裏側コーナー部２２ｃ間の隙間を許容値以下に保持した状態で、第二扉体２２が第一扉体２１に対して第三軸３５を中心に回転して、第一扉体２１と第二扉体２２とのなす角度をさらに大きくする。
【００５７】
最後に、図１（ｄ）に示すように、第一扉体２１がガイドレールと略平行になったとき、回転の中心を第三軸３５から、第三軸３５よりも第二扉体２２の外側端部２２ｂ側に設けられた回転自在の第四軸２３に切り替えて、第二扉体２２の内側端部裏側コーナー部２２ｃが第一扉体２１の内側端部表側コーナー部２１ｄに対向する位置から第一扉体２１の内側端部裏側コーナー部２１ｃに対向する位置まで、第一扉体２１の内側端部２１ａと第二扉体２２の内側端部裏側コーナー部２２ｃ間の隙間を許容値以下に保持した状態で移動するように、第二扉体２２が第一扉体２１に対して第四軸２３を中心に回転して、閉状態にする。
【００５８】
次に、蝶番３０の構造を説明する。
蝶番３０は、第一扉体２１に取付けられる第一扉体側本体部３１と、第二扉体２２に取付けられる第二扉体側本体部３２、第一軸３３、第二軸３４、第三軸３５、第一リンク機構３６、及び第二リンク機構３９を備える。
そして、図２に示すように、第一扉体２１及び第二扉体２２の内側端部２１ａ，２２ａ裏側を肉抜きして、その肉抜きされた箇所に木ネジ等によって第一扉体側本体部３１及び第二扉体側本体部３２は取付けられる。一組の指挟み防止折戸２０には、上下に二つの蝶番３０が使用されている。
【００５９】
第一扉体側本体部３１は、金属板を曲げ加工されてなり、第一扉体側本体部３１の内側端部は、上下が第一扉体２１の裏側に向かって突出した第一軸支持部４７となっている。また、第一扉体側本体部３１の外側端部も第一扉体２１の裏側に向かって突出した第二軸支持部４８となっている。第一軸支持部４７の突出した先端４７ａの位置は第一扉体２１の裏面の位置に略等しく、第二軸支持部４８の突出した先端４８ａの位置は第一扉体２１の厚さ方向の略中央である。
【００６０】
第一軸３３は、第一軸支持部４７に挟持されることで、第一扉体２１の内側端部裏側コーナー部２１ｃ周りであってそのコーナー部２１ｃ先端に極力近い位置に回転自在に取付けられている。なお、本実施形態に使用される回転軸の類は、全て平面視における円運動をさせるためのものであるので、いずれの回転軸も上下に延びる。
第二軸３４は、第二軸支持部４８に回転自在に取付けられており、その位置は、第一軸３３よりも第一扉体２１の外側端部２１ｂ側であって、第一扉体２１の厚さ方向の略中央である。
【００６１】
第二扉体側本体部３２は、二枚の金属板を曲げ加工されてなり、第二扉体側本体部３２の内側端部は、上下が第二扉体２２の裏側に向かって突出した第三軸支持部４９となっている。この第三軸支持部４９の突出した先端４９ａの位置は第二扉体２２の裏面の位置に略等しい。また、第二扉体２２の裏側方向への突出量が第三軸支持部４９よりも少ない第五軸支持部５０を有する。
第三軸３５は、第三軸支持部４９に挟持されることで、第二扉体２２の内側端部裏側コーナー部２２ｃ周りであってそのコーナー部２２ｃ先端に極力近い位置に回転自在に取付けられている。
【００６２】
第一リンク機構３６は、第一軸３３に連結される第一リンクバー３７と、第三軸３５に連結される第二リンクバー３８とが第一ジョイント４３によって回転可能に連結されてなる。
しかも、その回転はボールプランジャー４４と凹溝４５，４６によって所定位置で阻止可能としている。
【００６３】
詳細には、第一リンクバー３７には、第二リンクバー３８に向かって第一ボールプランジャー４４が設けられている。
また、第一ボールプランジャー４４が対向する第二リンクバー３８の部位は平面視半円状になっており、その周面に、上下方向に延びる第一凹溝４５が形成されている。
さらに、第一ボールプランジャー４４が対向する第二リンクバー３８の周面のうち、第一凹溝４５の時計回り側には、第一凹溝４５と同様に第二凹溝４６が形成されている。
第一凹溝４５及び第二凹溝４６の深さ及び幅は、第一ボールプランジャー４４の先端のボールの径、及び要求される嵌合力等に基づいて決定されている。
このように、所定の二箇所の凹溝４５，４６に第一ボールプランジャー４４が嵌合することによって、第一リンクバー３７に対して第二リンクバー３８が回転阻止可能となっている。
【００６４】
第二リンク機構３９は、第二軸３４に連結される第三リンクバー４０と、第二扉体２２の内側端部裏側コーナー部２２ｃ周りである第五軸支持部５０に支持された第五軸５１に回転自在に連結される第四リンクバー４１とが回転可能に連結されてなる。第五軸支持部５０の位置は第三軸３５とは異なる位置であるが、第三軸３５に近い位置である。
第三リンクバー４０と第四リンクバー４１とが直線状となって、第二軸３４と第五軸５１とが最大限離れたときに、第一扉体２１の内側端部２１ａと第二扉体２２の内側端部裏側コーナー部２２ｃとの隙間が許容値以下となるように、第三リンクバー４０及び第四リンクバー４１の長さを選択している。
【００６５】
以上のように構成された蝶番３０を備える指挟み防止折戸２０が、開状態から閉状態となるまでの動きを、図３乃至図１１を参照して、蝶番３０のはたらきとともに説明する。
【００６６】
まず、図３に示すように開状態では、第一ボールプランジャー４４の先端が第一凹溝４５に嵌合しており、第一扉体２１の内側端部裏側コーナー部２１ｃと第二扉体２２の内側端部裏側コーナー部２２ｃ間の隙間は許容値以下となっている。
【００６７】
次に、第一リンク機構３６は、第一ボールプランジャー４４の先端が第一凹溝４５に嵌合して第一リンクバー３７に対する第二リンクバー３８の回転を阻止した状態を保持したままで、第二扉体２２が第一扉体２１に対して第一軸３３を中心に回転する。つまり、この回転中は、第一軸３３と第三軸３５との距離が一定に保たれるので、第一扉体２１の内側端部裏側コーナー部２１ｃと第二扉体２２の内側端部裏側コーナー部２２ｃ間の隙間を許容値以下に保持した状態である。そして、この保持状態のまま、図４に示す状態を経て、図５に示すように第一扉体２１と第二扉体２２とのなす角度を略９０度となるまで回転する。
【００６８】
第一扉体２１と第二扉体２２とのなす角度が略９０度になったとき、第二リンク機構３９の第三リンクバー４０と第四リンクバー４１とが直線状になる。つまり、第二軸３４と第五軸５１とが最大限離れた状態となる。このように、第二リンク機構３９の第三リンクバー４０と第四リンクバー４１とが直線状となることで、第一扉体２１の内側端部２１ａと第二扉体２２の内側端部裏側コーナー部２２ｃ間の隙間が許容値より広くならないように規制している。
このとき、第一ボールプランジャー４４の先端が第一凹溝４５に嵌合したままであるので、第一リンクバー３７に対する第二リンクバー３８の回転はまだ阻止されている。
【００６９】
この状態からさらに第二扉体２２が第一扉体２１に対して回転することで、図６に示すように、第一凹溝４５が形成されている第二リンクバー３８の周面に対して第一ボールプランジャー４４が時計回りに回転し、第一ボールプランジャー４４の先端が第一凹溝４５から出て、第一リンク機構３６の回転阻止（第一リンクバー３７に対する第二リンクバー３８の回転阻止）が解除される。
そして、回転の中心を第一軸３３から第二軸３４に切り替え、第二扉体２２が第一扉体２１に対して第二軸３４を中心に回転する。このように回転することで、第二扉体２２の内側端部裏側コーナー部２２ｃが第一扉体２１の内側端部裏側コーナー部２１ｃに対向する位置（図５に示す状態）から、図６に示す状態を経て、第一扉体２１の内側端部表側コーナー部２１ｄに対向する位置（図７に示す状態）まで、第一扉体２１の内側端部２１ａと第二扉体２２の内側端部裏側コーナー部２２ｃ間の隙間を許容値以下に保持した状態で移動する。
つまり、第二扉体２２の内側端部裏側コーナー部２２ｃが、第一扉体２１の内側端部裏側コーナー部２１ｃに対向する位置から第一扉体２１の内側端部表側コーナー部２１ｄに対向する位置まで移動する間、第二扉体２２の内側端部裏側コーナー部２２ｃは、第二リンク機構３９に規制された所定値しか第一扉体２１の内側端部２１ａから離れることができない。ここで、第二扉体２２の内側端部裏側コーナー部２２ｃが第一扉体２１の厚さ方向の略中央に位置するときに、第一扉体２１の内側端部２１ａと第二扉体２２の内側端部裏側コーナー部２２ｃとの隙間が最大となるが、この隙間の最大値であっても許容値以下としている。
【００７０】
次に、図７に示すように、第二扉体２２の内側端部裏側コーナー部２２ｃが第一扉体２１の内側端部表側コーナー部２１ｄに対向する位置まで移動したとき、第一ボールプランジャー４４の先端が第二凹溝４６に嵌合することで、第一リンクバー３７に対する第二リンクバー３８の回転を再度阻止した状態を保持する。そして、回転の中心を第二軸３４から第三軸３５に切り替えて、第一扉体２１の内側端部表側コーナー部２１ｄと第二扉体２２の内側端部裏側コーナー部２２ｃ間の隙間を許容値以下に保持した状態で、図８に示すように、第二扉体２２が第一扉体２１に対して第三軸３５を中心に回転し、第一扉体２１と第二扉体２２とのなす角度をさらに大きくする。
【００７１】
最後に、第一扉体２１がガイドレールと略平行になったとき、回転の中心を第三軸３５から第四軸２３である走行体に切り替えて、第二扉体２２が第一扉体２１に対して第四軸２３を中心に回転することで（図９及び図１（ｄ）参照）、第二凹溝４６が形成されている第二リンクバー３８の周面に対して第一ボールプランジャー４４が反時計回りに回転し、第一ボールプランジャー４４の先端が第二凹溝４６から出て、第一リンクバー３７に対する第二リンクバー３８の回転阻止が解除される。
さらに、第二扉体２２が第一扉体２１に対して第四軸２３を中心に回転して、第二扉体２２の内側端部裏側コーナー部２２ｃが第一扉体２１の内側端部表側コーナー部２１ｄに対向する位置から第一扉体２１の内側端部裏側コーナー部２１ｃに対向する位置まで移動し、図１０に示す閉状態にする。この間、第一扉体２１の内側端部２１ａと第二扉体２２の内側端部裏側コーナー部２２ｃ間の隙間を許容値以下に保持し続けている。
なお、閉状態においては、第一ボールプランジャー４４が再び第一凹溝４５に嵌合した状態である。
【００７２】
以上のように構成及び動作する指挟み防止折戸２０及び指挟み防止折戸２０用の蝶番３０によれば、第一リンク機構３６は、第二扉体２２が第一扉体２１に対して第一軸３３を中心に回転するときに、第一リンクバー３７に設けられた第一ボールプランジャー４４が、第一ボールプランジャー４４に対向する第二リンクバー３８に形成された第一凹溝４５に嵌合するので、第一リンクバー３７に対する第二リンクバー３８の回転を阻止した状態を保持でき、第一軸３３と第三軸３５との距離、つまり第一扉体２１の内側端部裏側コーナー部２１ｃと第二扉体２２の内側端部裏側コーナー部２２ｃとの距離を一定に保つことができる。
よって、開状態から第一扉体２１と第二扉体２２とのなす角度が略９０度となるまで、第一扉体２１の内側端部２１ａと第二扉体２２の内側端部２２ａ間の隙間で指を挟むことはない。
【００７３】
一方、第一リンク機構３６は、第一リンクバー３７と第二リンクバー３８とが、第一ジョイント４３によって回転可能でもあるので、第一軸３３と第三軸３５との距離の固定解除も行うことができる。
つまり、この固定を解除することで、第一扉体２１の内側端部裏側コーナー部２１ｃに対向する位置から、第一扉体２１の内側端部表側コーナー部２１ｄに対向する位置まで、第二扉体２２が第一扉体２１に対して第二軸３４を中心に回転することができ、このとき、第二リンク機構３９が最大限伸び切って第一扉体２１の内側端部２１ａと第二扉体２２の内側端部裏側コーナー部２２ｃ間の隙間を許容値以下に保持した状態としているので、この間、第一扉体２１の内側端部２１ａと第二扉体２２の内側端部２２ａ間の隙間で指を挟むことはない。
万が一、開閉者の指が第二扉体２２の内側端部２２ａに触れていても、第二扉体２２のこのような動きによって、表側に指が挟まれることなく押し出されるので安全である。
【００７４】
また、第一ボールプランジャー４４に対向する第二リンクバー３８には第二凹溝４６が形成され、第二扉体２２の内側端部裏側コーナー部２２ｃが第一扉体２１の内側端部表側コーナー部２１ｄに対向する位置まで移動したときに、第一ボールプランジャー４４が第二凹溝４６に嵌合するので、第一リンクバー３７に対する第二リンクバー３８の回転を再度阻止した状態を保持することができ、この位置でも第一軸３３と第三軸３５との距離を一定に保つことができる。これに加え、このとき第二リンク機構３９が、第一扉体２１の内側端部２１ａと第二扉体２２の内側端部裏側コーナー部２２ｃ間の隙間を許容値以下に規制している。
つまり、第二扉体２２が第一扉体２１に対して第三軸３５を中心に回転するとき、第一リンク機構３６及び第二リンク機構３９が同時に機能して二方向の距離を規制しているので、第一扉体２１の内側端部表側コーナー部２１ｄと第二扉体２２の内側端部裏側コーナー部２２ｃ間の隙間を許容値以下に保持することができ、この間、第一扉体２１の内側端部２１ａと第二扉体２２の内側端部２２ａ間の隙間で指を挟むことはない。
【００７５】
また、第二リンクバー３８に第一凹溝４５と第二凹溝４６とが形成され、それぞれに第一ボールプランジャー４４が嵌合するので、図１１（ａ）及び（ｂ）に示すように、第一リンク機構３６一つで第一軸３３と第三軸３５との距離Ｌ１，Ｌ２を二通りに規制することができる。
しかも、この二通りに規制する方法は、簡易かつ確実にそれぞれの位置で回転を規制することができる。
【００７６】
さらに、第一扉体２１がガイドレールと略平行になったとき、回転の中心を第三軸３５から第四軸２３に切り替えて、第二扉体２２の内側端部裏側コーナー部２２ｃが第一扉体２１の内側端部表側コーナー部２１ｄに対向する位置から第一扉体２１の内側端部裏側コーナー部２１ｃに対向する位置まで、第一扉体２１の内側端部２１ａと第二扉体２２の内側端部裏側コーナー部２２ｃ間の隙間を許容値以下に保持した状態で移動するように、第二扉体２２が第一扉体２１に対して第四軸２３を中心に回転して、閉状態にするので、この間、第一扉体２１の内側端部２１ａと第二扉体２２の内側端部２２ａ間の隙間で指を挟むことはない。
【００７７】
このように、開状態から閉状態に至るまで、常に第一扉体２１の内側端部２１ａと第二扉体２２の内側端部２２ａ間の隙間が許容値以下となっているので、確実に指挟みを防止でき、安全である。
【００７８】
また、特に第一扉体２１及び第二扉体２２内側端部２１ａ，２２ａを大きく面取する必要はなく指挟みを防止することができるので、これに伴う扉体内側端部２１ａ，２２ａの強度低下、及びデザインへの影響もない。
同様に、第一扉体２１の内側端部２１ａと第二扉体２２の内側端部２２ａ間の隙間を覆う指挟み防止用の覆い部材や、指を挟んでも痛くないような軟質材を用いずに済み、また、指が間に入っても指を潰さないほど大きな１３ミリ以上の隙間も設ける必要もないので、折戸２０のデザインに影響を与えない。
【００７９】
また、蝶番３０によって、常に第一扉体２１の内側端部２１ａと第二扉体２２の内側端部２２ａ間の隙間を許容値以下にするので、蝶番３０を第一扉体２１及び第二扉体２２に取付けるだけで指挟みを防止できる。つまり、第一扉体２１及び第二扉体２２等の他の部材は通常のものを使用することができ、蝶番３０以外のものをわざわざ第一扉体２１や第二扉体２２に取付ける必要がないので、構造が簡易であり、指挟み防止折戸２０を容易に導入することができる。また、蝶番３０の故障が発生し難く、コストも低廉である。
【００８０】
蝶番３０だけで指挟みを防止できるということは、新築時だけでなくリフォーム時にも有益である。すなわち、施工済みの既存折戸１０に取付けられている蝶番１３を外して、指挟み防止折戸専用の蝶番３０を取付けるだけで、既存の折戸１０を安全な指挟み防止折戸２０へ改修することもできる。このように、蝶番３０だけを後付けして指挟みを防止できるので、既存の折戸１０を廃棄せずに済み、無駄が少ない。
【００８１】
また、閉状態でも第一扉体２１の内側端部２１ａと第二扉体２２の内側端部２２ａ間の隙間が許容値以下であるので、一般的な蝶番１３を用いたときと同様に、閉状態では折戸２０の表側に蝶番３０が全く露出せず、銘木等の高級材を第一扉体２１及び第二扉体２２に用いた場合でもデザイン面で破綻を生じることはない。
また、ハンドルを第一扉体２１及び第二扉体２２に取付ける必要もないので、デザイン面に影響を与えず、人や物が引っ掛かって破損するおそれもない。
また、蝶番３０は金属製であるので、繰り返し折戸２０を開閉しても破損することは考え難い。また経年変化による劣化もなく、耐久性が高い。
【００８２】
また、通常の蝶番１３と同様、一組の折戸２０に対し二、三箇所に蝶番３０を取付けるだけで指挟み防止となるので、扉体２１，２２の上端や下端といった扉体２１，２２の加工時の長さ調節部分を避けて蝶番３０を取付けていれば、蝶番３０が、扉体２１，２２の上端や下端を切断する際の障害にならない。このことは、特にリフォーム等、扉体２１，２２のサイズを天井高に合わせて現場で加工を行う場合に極めて好都合である。もちろん、この蝶番３０の交換はほとんど全てのサイズの扉体２１，２２に対して可能である。
【００８３】
さらに、第一リンク機構３６は、第二扉体２２が第一扉体２１に対して第一軸３３を中心に回転するときに、第一リンクバー３７に設けられた第一ボールプランジャー４４が、第一ボールプランジャー４４に対向する第二リンクバー３８に形成された第一凹溝４５に嵌合することで、第一リンクバー３７に対する第二リンクバー３８の回転を阻止した状態を保持するので、折戸２０の開閉にとって最適な嵌合力を得ることが容易である。つまり、第一ボールプランジャー４４は既存のものであっても様々な嵌合力のものが用意されており、また第一凹溝４５の深さを浅く形成すれば嵌合力は弱くなり、深く形成すれば嵌合力は強くなるので、嵌合力を任意に選択できる。
しかも、第二リンクバー３８には第二凹溝４６が形成され、第二扉体２２の内側端部裏側コーナー部２２ｃが第一扉体２１の内側端部表側コーナー部２１ｄに対向する位置まで移動したときに、第一ボールプランジャー４４が第二凹溝４６に嵌合するので、簡易かつ確実に、異なる二箇所において回転を阻止することができる。
【００８４】
また、走行体に第四軸２３を設けたので、既存の走行体を中心に第二扉体２２を回転することができる。すなわち、別途第四軸２３を設ける必要がなく、構造が簡易である。
【００８５】
なお、本実施形態において、第一扉体２１は、その外側端部２１ｂが回転自在に固定されるとしたが、これに限られるものではなく、第一扉体２１は外側端部２１ｂが回転自在かつガイドレールに案内されてもよい。つまり、開状態のままその折戸２０がガイドレールに案内され、部屋の間仕切りとして用いられる折戸２０であってもよい。
また、第一扉体２１の横幅よりも第二扉体２２の横幅が長くてもよい。このとき、第四軸２３は、第一扉体２１の横幅の分だけ第二扉体２２の内側端部２２ａから外側に位置することになる。
【００８６】
また、第一軸３３を第一扉体２１の内側端部裏側コーナー部２１ｃ周りに設けたが、第一軸３３を第一扉体２１及び第二扉体２２の対向する内側端部裏側コーナー部２１ｃ，２２ｃ間に設けてもよい。
【００８７】
また、第一リンク機構３６は、第一ボールプランジャー４４と凹溝４５，４６によって第一リンクバー３７と第二リンクバー３８との回転を阻止したが、これに限られるものではなく、他の嵌合方法によって回転阻止可能としてもよい。
また、第一リンクバー３７に第一ボールプランジャー４４を、第二リンクバー３８に第一凹溝４５及び第二凹溝４６を設けたが、これとは逆に、第二リンクバー３８に第一ボールプランジャー４４を、第一リンクバー３７に第一凹溝４５及び第二凹溝４６を設けてもよい。
【００８８】
また、第二リンク機構３９が伸び切ることで第二軸３４と第五軸５１との距離を制限したが、この距離を制限するために第二リンク機構３９が伸び切る必要はない。
さらに、蝶番３０が第二軸３４を備えるとしたが、蝶番３０とは別に第二軸３４を設けて、その別体の第二軸３４によって第二扉体２２の動きを規制してもよい。このとき、例えば、第二リンク機構３９がチェーン等であっても、第二扉体２２の動きを規制できる。
【００８９】
さらに、第二扉体２２が第一扉体２１に対して第三軸３５を中心に回転するときに、第一リンク機構３６と第二リンク機構３９によって、第一扉体２１の内側端部表側コーナー部２１ｄと第二扉体２２の内側端部裏側コーナー部２２ｃ間の隙間を許容値以下に保持するようにしたが、これに限られるものではない。例えば、第三リンクバー４０に対する第四リンクバー４１の回転を阻止するとともに、第二軸３４の回転を阻止する機能を第二リンク機構３９に持たせることで、第二扉体２２が第一扉体２１に対して第三軸３５を中心に回転するときの隙間を許容値以下としてもよい。この回転阻止の方法は、別途ボールプランジャーを用いたり、金属ピンを用いて回り止め機構とすること等が考えられる。
また、第一リンク機構３６や第二リンク機構３９とは別体の、第一扉体２１側に固定可能かつ第一扉体２１に対して第二扉体２２を回転自在に連結可能な第三リンク機構を設けて、その第三リンク機構によってこの隙間を許容値以下としてもよい。
【００９０】
また、第二扉体２２の有する走行体を第四軸２３としたが、第四軸２３を走行体とは別に設けてもよい。
【００９１】
また、第三軸３５と第五軸５１を共通にしてもよく、共通にすることで第五軸５１を第二扉体２２の内側端部裏側コーナー部２２ｃにより近くすることができるので、第三軸３５を中心に第二扉体２２が回転するときに第二リンク機構３９が緩まず、第一扉体２１の内側端部表側コーナー部２１ｄと第二扉体２２の内側端部裏側コーナー部２２ｃ間の隙間の保持をより確実に行うことができる。
【符号の説明】
【００９２】
１０      折戸
１１      扉体
１１ａ    内側端部
１１ｂ    内側端部裏側
１１ｃ    内側端部表側
１２      扉体
１２ａ    内側端部
１２ｂ    内側端部裏側
１２ｃ    内側端部表側
１３      蝶番
１４      欠除部（面取）
２０      指挟み防止折戸
２１      第一扉体
２１ａ    内側端部
２１ｂ    外側端部
２１ｃ    内側端部裏側コーナー部
２１ｄ    内側端部表側コーナー部
２２      第二扉体
２２ａ    内側端部
２２ｂ    外側端部
２２ｃ    内側端部裏側コーナー部
２３      第四軸
３０      蝶番
３１      第一扉体側本体部
３２      第二扉体側本体部
３３      第一軸
３４      第二軸
３５      第三軸
３６      第一リンク機構
３７      第一リンクバー
３８      第二リンクバー
３９      第二リンク機構
４０      第三リンクバー
４１      第四リンクバー
４３      第一ジョイント
４４      第一ボールプランジャー
４５      第一凹溝
４６      第二凹溝
４７      第一軸支持部
４７ａ    先端
４８      第二軸支持部
４８ａ    先端
４９      第三軸支持部
５０      第五軸支持部
５１      第五軸
Ｌ１    第一軸と第三軸との距離
Ｌ２    第一軸と第三軸との距離
Ｙ      指
【図１】
0005711911.tif 000002
【図２】
0005711911.tif 000003
【図３】
0005711911.tif 000004
【図４】
0005711911.tif 000005
【図５】
0005711911.tif 000006
【図６】
0005711911.tif 000007
【図７】
0005711911.tif 000008
【図８】
0005711911.tif 000009
【図９】
0005711911.tif 000010
【図１０】
0005711911.tif 000011
【図１１】
0005711911.tif 000012
【図１２】
0005711911.tif 000013
【図１３】
0005711911.tif 000014